(57)【要約】      （修正有）【課題】調整板の嵌合部材を台座の嵌合穴に合わせることにより、支持枠を、調整した後、台座に安定的に固定することが可能なソーラーパネル支持枠用調整構造を提供する。【解決手段】底部の径方向に沿って第１貫通孔１２が設けられている支持枠１０と、支持枠を位置決め、上部に少なくとも一つの側板２４が伸び、側板に長穴２８が設けられ、長穴の少なくとも一つの側辺には、複数の嵌合穴２６が設けられている台座２０と、側板の外面に設けられ、第２貫通孔３２と、同じ方向に伸び各嵌合穴に対応する少なくとも一つの嵌合部材３６とが設けられている少なくとも一つの調整板３０と、第２貫通孔、長穴及び第１貫通孔を順次に挿通し、台座に支持枠を固定し、調整板を台座に規制し、第２貫通孔と第１貫通孔との穴径よりも直径がやや小さい少なくとも一つの位置決め部材４０と、を備える。【選択図】図４
0003219176.tif 000002
【実用新案登録請求の範囲】
【請求項１】
底部の径方向に沿って第１貫通孔が設けられている支持枠と、
前記支持枠を位置決め、上部に少なくとも一つの側板が伸び、前記側板には、軸方向に沿って上下に伸びる長穴が設けられており、前記長穴の少なくとも一つの側辺には、上から下へ配列され前記長穴との間の距離が同じな複数の嵌合穴が設けられている台座と、
前記側板の外面に設けられており、前記調整板には、第２貫通孔と、同じ方向に伸び各前記嵌合穴に対応する少なくとも一つの嵌合部材とが設けられている少なくとも一つの調整板と、
前記第２貫通孔、前記長穴及び前記第１貫通孔を順次に挿通し、前記台座に前記支持枠を固定し、前記調整板を前記台座に規制し、前記第２貫通孔と前記第１貫通孔との穴径は、前記位置決め部材の径方向の断面積よりやや大きく、これにより、前記位置決め部材を挿通するための空間が十分となる少なくとも一つの位置決め部材と、
を備えることを特徴とするソーラーパネル支持枠用調整構造。
【請求項２】
前記長穴の二つの側辺には、上から下へ配列され前記長穴との間の距離が同じなこれらの前記嵌合穴がそれぞれ設けられており、前記調整板に嵌合部材が複数設けられており、各前記嵌合部材は、対称または対角の位置に位置するように、前記調整板の両側にそれぞれ設けられており、これらの前記嵌合部材の間隔と各前記嵌合穴の間隔との長さの比は２：１であり、前記台座の上部には、互いに対向して対称する側板が二つ設けられていることを特徴とする、請求項１に記載のソーラーパネル支持枠用調整構造。
【請求項３】
前記台座の底部には、位置決めるための固定穴と、波板の形状に合う円弧形支持架とが設けられており、前記円弧形支持架を設置する方向は、これらの前記嵌合穴が設けられている前記側板の方向と同じであり、前記側板の両側の周縁には、規制止縁がそれぞれ設けられており、これらの前記規制止縁は前記支持枠の側面に当接し、前記台座に前記支持枠を設けた後、前記調整板は、互いに対向する前記側板に設けられており、前記第１貫通孔と前記第２貫通孔とは、同軸に揃えられ、前記支持枠の上部には、クロスビームを支持するための支持板が設けられていることを特徴とする、請求項１に記載のソーラーパネル支持枠用調整構造。
【考案の詳細な説明】
【技術分野】
【０００１】
本考案は、支持枠用調整構造に関し、特に、調整板の嵌合部材を台座の嵌合穴に合わせることにより、支持枠を、調整した後、台座に安定的に固定することが可能なソーラーパネル支持枠用調整構造に関するものである。
【背景技術】
【０００２】
図１０を参照する。従来のソーラーパネル支持枠は、支持枠５０と、台座６０と、を備える。支持枠５０には、径方向に沿う長穴５２が設けられている。台座６０の上部に側板６１が伸びる。側板６１には、径方向に沿う長穴６２が設けられている。支持枠５０を台座６０に設けた後、締結部材７０が長穴６２及び長穴５２を順次に挿通することにより、台座６０に支持枠５０を調整して固定することが可能である。しかし、長穴６２及び長穴５２による規制効果は良くないため、環境の温度差が大きい場合には、熱膨張しやすく、又は台風による強風に吹かれると、支持枠５０と台座６０の接合箇所は、不安定となり、揺れやすく、緩みやすく、ひいては組付けられた複数のソーラーパネルが変位し、又は離脱する可能性がある。
【考案の概要】
【考案が解決しようとする課題】
【０００３】
本考案の主な目的は、調整板の嵌合部材を台座の嵌合穴に合わせることにより、支持枠を、調整した後、台座に安定的に固定することが可能なソーラーパネル支持枠用調整構造を提供することにある。
【課題を解決するための手段】
【０００４】
本考案のソーラーパネル支持枠用調整構造によると、底部の径方向に沿って第１貫通孔が設けられている支持枠と、
支持枠を位置決め、上部に少なくとも一つの側板が伸び、側板には、軸方向に沿って上下に伸びる長穴が設けられており、長穴の少なくとも一つの側辺には、上から下へ配列され長穴との間の距離が同じな複数の嵌合穴が設けられている台座と、
側板の外面に設けられており、調整板には、第２貫通孔と、同じ方向に伸び各嵌合穴に対応する少なくとも一つの嵌合部材とが設けられている少なくとも一つの調整板と、
第２貫通孔、長穴及び第１貫通孔を順次に挿通し、台座に支持枠を固定し、調整板を台座に規制し、第２貫通孔と第１貫通孔との穴径は、位置決め部材の径方向の断面積よりやや大きく、これにより、位置決め部材を挿通するための空間が十分となる少なくとも一つの位置決め部材と、
を備えることを特徴とする。
【０００５】
本考案のソーラーパネル支持枠用調整構造によると、長穴の二つの側辺には、上から下へ配列され長穴との間の距離が同じなこれらの嵌合穴がそれぞれ設けられており、調整板に嵌合部材が複数設けられており、各嵌合部材は、対称または対角の位置に位置するように、調整板の両側にそれぞれ設けられており、これらの嵌合部材の間隔と各嵌合穴の間隔との長さの比は２：１であり、台座の上部には、互いに対向して対称する側板が二つ設けられていることを特徴とする。
【０００６】
本考案のソーラーパネル支持枠用調整構造によると、台座の底部には、位置決めるための固定穴と、波板の形状に合う円弧形支持架とが設けられており、円弧形支持架を設置する方向は、これらの嵌合穴が設けられている側板の方向と同じであり、側板の両側の周縁には、規制止縁がそれぞれ設けられており、これらの規制止縁は支持枠の側面に当接し、台座に支持枠を設けた後、調整板は、互いに対向する側板に設けられており、第１貫通孔と第２貫通孔とは、同軸に揃えられ、支持枠の上部には、クロスビームを支持するための支持板が設けられていることを特徴とする。
【考案の効果】
【０００７】
本考案のソーラーパネル支持枠用調整構造によれば、次のような効果がある。
（１）第１貫通孔と第２貫通孔との穴径を、位置決め部材の径方向の断面積より大きくすることにより、支持枠の移動が規制され、環境の温度差が大きい場合に熱膨張し、又は台風による強風に吹かれても、支持枠５０と台座６０の接合箇所は、変位し、又は離脱することはない。
【０００８】
（２）調整板に設けられているこれら嵌合部材を、それに対応するこれらの嵌合穴に嵌合することにより、支持枠及び台座に位置決め部材を挿通して締結すると、位置決め部材は、緩まることはなく、揺れることもない。
【図面の簡単な説明】
【０００９】
【図１】本考案の実施の形態１に係るソーラーパネル支持枠用調整構造を示す斜視図である。
【図１Ａ】図１における調整板の別の側面を示す図である。
【図２】本考案の実施の形態２に係るソーラーパネル支持枠用調整構造を示す斜視図である。
【図２Ａ】図２における調整板の別の側面を示す図である。
【図３】本考案の実施の形態３に係るソーラーパネル支持枠用調整構造を示す斜視図である。
【図４】図３のソーラーパネル支持枠用調整構造を示す分解斜視図である。
【図５】図３の５-５線の断面図である。
【図６】図３の６-６線の断面図である。
【図７】本考案の実施の形態３に係る支持枠の調整を示す図である。
【図８】本考案の実施の形態４に係るソーラーパネル支持枠用調整構造を示す斜視図である。
【図９】本考案に係るソーラーパネル支持枠用調整構造にソーラーパネルを組付けた後の状態を示す図である。
【図１０】従来のソーラーパネル支持枠の調整を示す図である。
【考案を実施するための形態】
【００１０】
以下、本考案の実施の形態を図面に基づいて説明する。
【００１１】
（実施の形態１）
図１及び図１Ａを参照する。本実施の形態に係るソーラーパネル支持枠用調整構造は、支持枠１０と、台座２０と、調整板３０と、位置決め部材４０と、を備える。台座２０には、上方に伸びる側板２４が設けられている。側板２４には、軸方向に沿って上下に伸びる長穴２８が設けられている。長穴２８の側辺には、上から下へ配列され、長穴２８との距離が同じな複数の嵌合穴２６が設けられている。位置決め部材４０は、調整板３０、側板２４及び支持枠１０を挿通することにより、これらを固定する。図１Ａを参照する。調整板３０の側辺に嵌合部材３６が設けられている。支持枠１０の位置によって調整板３０を調整して、嵌合穴２６に嵌合部材３６を嵌合して、位置決め部材４０による規制により、その構造が安定化される。
【００１２】
（実施の形態２）
図２及び図２Ａを参照する。本実施の形態に係るソーラーパネル支持枠用調整構造は、支持枠１０と、台座２０と、調整板３０と、位置決め部材４０と、を備える。台座２０には、上方に伸びる側板２４が設けられている。側板２４には、軸方向に沿って上下に伸びる長穴２８が設けられている。長穴２８の側辺には、上から下へ配列され、長穴２８との距離が同じな複数の嵌合穴２６が設けられている。位置決め部材４０は、調整板３０、側板２４及び支持枠１０を挿通することにより、これらを固定することが可能である。図２Ａを参照する。調整板３０の両側には、複数の嵌合部材３６が対角の位置に設けられている。支持枠１０の位置によって調整板３０を調整して、これらの嵌合穴２６に、これらの嵌合部材３６を嵌合して、位置決め部材４０による規制により、その構造が安定化される。
【００１３】
（実施の形態３）
図３から図７を参照する。本実施の形態に係るソーラーパネル支持枠用調整構造は、図３及び図４に示すように、支持枠１０と、台座２０と、二つの調整板３０と、位置決め部材４０と、を備える。支持枠１０の底部には、径方向に沿う第１貫通孔１２が設けられている。台座２０の上部の対辺には、上方へ伸びる二つの側板２４が設けられている。これらの側板２４は、互いに対向して対称する。これらの側板２４の両側の周縁には、規制止縁２４１が設けられている。これらの規制止縁２４１は、支持枠１０の側面に当接することにより、支持枠１０と台座２０の結合の安定性を増加することが可能である。台座２０の底部には、波板の形状に合う円弧形支持架２２が設けられている。円弧形支持架２２を設置する方向は、側板２４を設置する方向と同じである。各側板２４には、軸方向に沿って伸びる複数の嵌合穴２６と、上下に伸びる長穴２８とが設けられている。これらの嵌合穴２６は、上から下へ配列され、間隔が同じであり互いに対称するように、各側板２４の両側に設けられている。長穴２８は、互いに対称するこれらの嵌合穴２６の間に位置する。これらの調整板３０は、それに対応する側板２４の外面に設けられている。各調整板３０には、第２貫通孔３２と、同じ方向に突出する複数の嵌合部材３６とが設けられている。これらの嵌合穴２６に、これらの嵌合部材３６を嵌合して、位置決め部材４０により、台座２０に支持枠１０を固定すると、台座２０に、これらの調整板３０を規制することが可能である。
【００１４】
図５を参照する。図５は、位置決め部材４０が支持枠１０、台座２０及びこれらの調整板３０を挿通した状態を示す断面図である。これらの第２貫通孔３２と第１貫通孔１２との穴径は、位置決め部材４０の径方向の断面積よりやや大きい。これにより、位置決め部材４０を挿通する空間が十分であり、位置決め部材４０は第１貫通孔１２及びこれらの第２貫通孔３２の間に規制されることが可能である。位置決め部材４０は、第２貫通孔３２、長穴２８、第１貫通孔１２、別の長穴２８及び別の第２貫通孔３２を順次に挿通して、これらの第２貫通孔３２及び第１貫通孔１２による規制により、位置決め部材４０の揺れる程度を小さくすることが可能であり、位置決め部材４０の結合の安定性を保持することが可能である。一方、台座２０には、位置決めるための固定穴２３が設けられている。固定穴２３により、台座２０を波板に結合することが可能である。
【００１５】
図５及び図６は、これらの調整板３０を、それに対応する側板２４に係合した状態を示す断面図である。支持枠１０の位置を調整して、各調整板３０に設けられている第２貫通孔３２を、それに対応する支持枠１０の第１貫通孔１２に合わせて、これらの嵌合部材３６を、側板２４に設けられているこれらの嵌合穴２６に嵌合することにより、これらを規制することが可能である。本実施の形態に係る各嵌合部材３６と各嵌合穴２６の間隔比は２:１である。換言すると、三つの嵌合穴２６が配列されているときには、調整板３０に設けられている二つの嵌合部材３６は、これらの嵌合穴２６のうちの一つ目及び三つ目に嵌合し、二つ目の嵌合穴２６に嵌合しない。この構造によれば、調整板３０の安定性は良くなり、構造の結合強度も強くなる。
【００１６】
図４及び図７は、台座２０で支持枠１０を調整する状態を示す図である。第１貫通孔１２を移動した位置は、長穴２８の開口の範囲内に位置することが必要である。支持枠１０を台座２０に入れて上方へ調整した後、これらの調整板３０を上方に移動して各側板２４に対応すると同時に、第１貫通孔１２とこれらの第２貫通孔３２を同軸に揃えて、各側板２４に、これらの調整板３０をそれぞれ係合して、これらの側板２４に位置決め部材４０を挿通すると、支持枠１０及び台座２０は、安定的となり、規制され、構造が強化される。
【００１７】
（実施の形態４）
図８を参照する。本実施の形態に係るソーラーパネル支持枠用調整構造は、支持枠１０と、台座２０と、調整板３０と、位置決め部材４０と、を備える。台座２０には、上方に伸びる側板２４が四つ設けられている。これらの側板２４は一体に成形される。互いに対称するように設けられる二つの側板２４には、複数の嵌合穴２６と、長穴２８とが設けられている。台座２０の底部には、波板の形状に合う円弧形支持架２２が設けられている。円弧形支持架２２を設置する方向は、これらの嵌合穴２６が設けられている側板２４を設置する方向と同じである。位置決め部材４０は、調整板３０、これらの側板２４及び支持枠１０を挿通することにより、これらを固定することが可能である。支持枠１０の位置によって、調整板３０を、調整して、それに対応するこれらの嵌合穴２６に係合して、位置決め部材４０による規制により、構造を安定化することが可能である。本実施の形態４に係る台座２０の四面に、これらの側板２４が環設されているため、台座２０の構造の安定性を増加することが可能である。
【００１８】
図９は、本考案に係るソーラーパネル支持枠用調整構造にソーラーパネル４５を組付けた状態を示す図である。台座２０に支持枠１０を設けた後、支持枠１０の変位によって、調整板３０の位置を調整して側板２４に係合して、調整板３０、台座２０及び支持枠１０に位置決め部材４０を挿通すると、これらは規制されて安定的となる。次に、支持枠１０の上部に支持板４２を設けて、支持板４２上にクロスビーム４９を設けて、クロスビーム４９上にソーラーパネル４５を設ける。ソーラーパネル４５のサイドフレームは押さえ板４７に押さえられることにより、ソーラーパネル４５はクロスビーム４９から離脱することができない。
【符号の説明】
【００１９】
１０  支持枠
１２  第１貫通孔
２０  台座
２２  円弧形支持架
２３  固定穴
２４  側板
２６  嵌合穴
２８  長穴
３０  調整板
３２  第２貫通孔
３６  嵌合部材
４０  位置決め部材
４２  支持板
４５  ソーラーパネル
４７  押さえ板
４９  クロスビーム
５０  支持枠
５２  長穴
６０  台座
６１  側板
６２  長穴
７０  締結部材
２４１  規制止縁
【図１】
0003219176.tif 000003
【図１Ａ】
0003219176.tif 000004
【図２】
0003219176.tif 000005
【図２Ａ】
0003219176.tif 000006
【図３】
0003219176.tif 000007
【図４】
0003219176.tif 000008
【図５】
0003219176.tif 000009
【図６】
0003219176.tif 000010
【図７】
0003219176.tif 000011
【図８】
0003219176.tif 000012
【図９】
0003219176.tif 000013
【図１０】
0003219176.tif 000014
【手続補正書】
【提出日】平成30年10月9日(2018.10.9)
【手続補正１】
【補正対象書類名】実用新案登録請求の範囲
【補正対象項目名】全文
【補正方法】変更
【補正の内容】
【実用新案登録請求の範囲】
【請求項１】
底部の径方向に沿って第１貫通孔が設けられている支持枠と、
前記支持枠を位置決め、上部に少なくとも一つの側板が伸び、前記側板には、軸方向に沿って上下に伸びる長穴が設けられており、前記長穴の少なくとも一つの側辺には、上から下へ配列され前記長穴との間の距離が同じな複数の嵌合穴が設けられている台座と、
前記側板の外面に設けられており、調整板には、第２貫通孔と、同じ方向に伸び各前記嵌合穴に対応する少なくとも一つの嵌合部材とが設けられている少なくとも一つの調整板と、
前記第２貫通孔、前記長穴及び前記第１貫通孔を順次に挿通し、前記台座に前記支持枠を固定し、前記調整板を前記台座に規制し、前記第２貫通孔と前記第１貫通孔との穴径は、位置決め部材の径方向の断面積よりやや大きく、これにより、前記位置決め部材を挿通するための空間が十分となる少なくとも一つの位置決め部材と、
を備えることを特徴とするソーラーパネル支持枠用調整構造。
【請求項２】
前記長穴の二つの側辺には、上から下へ配列され前記長穴との間の距離が同じなこれらの前記嵌合穴がそれぞれ設けられており、前記調整板に嵌合部材が複数設けられており、各前記嵌合部材は、対称または対角の位置に位置するように、前記調整板の両側にそれぞれ設けられており、これらの前記嵌合部材の間隔と各前記嵌合穴の間隔との長さの比は２：１であり、前記台座の上部には、互いに対向して対称する側板が二つ設けられていることを特徴とする、請求項１に記載のソーラーパネル支持枠用調整構造。
【請求項３】
前記台座の底部には、位置決めるための固定穴と、波板の形状に合う円弧形支持架とが設けられており、前記円弧形支持架を設置する方向は、これらの前記嵌合穴が設けられている前記側板の方向と同じであり、前記側板の両側の周縁には、規制止縁がそれぞれ設けられており、これらの前記規制止縁は前記支持枠の側面に当接し、前記台座に前記支持枠を設けた後、前記調整板は、互いに対向する前記側板に設けられており、前記第１貫通孔と前記第２貫通孔とは、同軸に揃えられ、前記支持枠の上部には、クロスビームを支持するための支持板が設けられていることを特徴とする、請求項１に記載のソーラーパネル支持枠用調整構造。